(57)【要約】【課題】  チューナで受信可能なチャネルの中に正常に受信することのできないチャネルがある場合に、それを把握させることのできる通信装置を提供する。【解決手段】  コンテンツリストの更新処理を開始すると、アンテナ入力信号の有無を検出する（Ｓ８０１）。アンテナ入力信号が無い場合には（Ｓ８０１のＮｏ）当該チューナで受信可能なチャネルのｉｔｅｍ要素を削除（Ｓ８０３）する、或いは付加情報を当該ｉｔｅｍ要素に追加する。このように、入力信号の有無等により正常に受信できるか否かを検出し、それを反映させたコンテンツリストをＣＤＳとして公開する。【選択図】      図８
2008053975.tif 000002
【特許請求の範囲】
【請求項１】
ネットワークを介して他の通信装置と通信する通信部と、
アンテナからの放送信号が入力されるアンテナ入力端子と、
前記アンテナ入力端子から入力される放送信号から所定のチャネルの映像信号を出力するチューナ部と、
前記アンテナ入力端子への放送信号の入力の有無を検出する信号検出部と、
前記信号検出部が放送信号の入力を検出した前記チューナ部で受信可能なチャネルの情報を項目として持つコンテンツリストを、前記通信部を介して前記他の通信装置に提示する提示部と
を備えることを特徴とする通信装置。
【請求項２】
前記提示部は、前記信号検出部が放送信号の入力が無いことを検出した前記チューナ部に係るチャネルの項目を記載しないコンテンツリストを提示すること
を特徴とする請求項１記載の通信装置。
【請求項３】
前記提示部は、前記信号検出部が放送信号の入力が無いことを検出した前記チューナ部に係るチャネルの項目に入力信号が無い旨を示す付加情報を加えたコンテンツリストを提示すること
を特徴とする請求項１記載の通信装置。
【請求項４】
視聴のために契約が必要なチャネルを前記チューナ部が受信可能な場合に、当該チャネルに係る契約の有無を検出する契約情報検出部
をさらに備え、
前記提示部は、前記契約情報検出部が契約済みであることを検出したチャネルの情報を項目として持つコンテンツリストを提示すること
を特徴とする請求項１記載の通信装置。
【請求項５】
前記提示部は、視聴のために契約が必要なチャネルであって前記契約情報検出部が当該契約を検出できないチャネルの項目を記載しないコンテンツリストを提示すること
を特徴とする請求項４記載の通信装置。
【請求項６】
前記提示部は、視聴のために契約が必要なチャネルであって前記契約情報検出部が当該契約を検出できないチャネルの項目に契約を検出できない旨を示す付加情報を加えたコンテンツリストを提示すること
を特徴とする請求項４記載の通信装置。
【請求項７】
前記チューナ部が出力する映像信号から得られるコンテンツデータを記憶媒体へ録画する録画部
をさらに備え、
前記通信部は、前記他の通信装置から録画を要求する録画要求を受信し、
前記録画部は、前記通信部で受信した録画要求に基づき予約録画を行うこと
を特徴とする請求項２、請求項３、請求項５、請求項６のいずれか１項記載の通信装置。
【請求項８】
前記録画部は、前記他の通信装置から受信した録画要求が、前記信号検出部が放送信号の入力が無いことを検出した前記チューナ部に係るチャネルの情報である場合に、エラーメッセージを前記他の通信装置に返すこと
を特徴とする請求項７記載の通信装置。
【請求項９】
前記提示部は、前記録画部が前記記憶媒体へ録画したコンテンツデータの情報を、前記コンテンツリスト内の項目として前記他の通信装置に提示すること
を特徴とする請求項７又は請求項８記載の通信装置。
【請求項１０】
前記信号検出部は、前記アンテナ入力端子への放送信号の入力レベルが所定値以下の場合に、放送信号の入力が無いと検出すること
を特徴とする請求項１記載の通信装置。
【請求項１１】
他の通信装置とＵＰｎＰによりネットワークを介して通信する通信部と、
アンテナからの放送信号が入力されるアンテナ入力端子と、
前記アンテナ入力端子から入力される放送信号から所定のチャネルの映像信号を出力するチューナ部と、
前記アンテナ入力端子への放送信号の入力の有無を検出する信号検出部と、
ＣＤＳとして機能し、前記信号検出部が放送信号の入力を検出したチューナ部で受信可能なチャネルの情報をｉｔｅｍ要素として前記他の通信装置に提示する提示部と
を備えることを特徴とする通信装置。
【請求項１２】
前記提示部は、前記信号検出部が放送信号の入力が無いことを検出した前記チューナ部に係るチャネルのｉｔｅｍ要素を提示しないこと
を特徴とする請求項１１記載の通信装置。
【請求項１３】
前記提示部は、前記信号検出部が放送信号の入力が無いことを検出した前記チューナ部に係るチャネルのｉｔｅｍ要素を、入力信号が無い旨を示す付加情報を加えて提示すること
を特徴とする請求項１１記載の通信装置。
【請求項１４】
視聴のために契約が必要なチャネルを前記チューナ部が受信可能な場合に、当該チャネルに係る契約の有無を検出する契約情報検出部
をさらに備え、
前記提示部は、前記契約情報検出部が契約を検出したチャネルのｉｔｅｍ要素を提示すること
を特徴とする請求項１１記載の通信装置。
【請求項１５】
前記提示部は、視聴のために契約が必要なチャネルであって前記契約情報検出部が契約を検出できないチャネルのｉｔｅｍ要素を提示しないこと
を特徴とする請求項１４記載の通信装置。
【請求項１６】
前記提示部は、視聴のために契約が必要なチャネルであって前記契約情報検出部が契約を検出できないチャネルのｉｔｅｍ要素を、契約を検出できない旨を示す付加情報を加えて提示すること
を特徴とする請求項１４記載の通信装置。
【請求項１７】
ＳＲＳとして機能し、前記通信部で受信した前記他の通信装置からの録画要求に応じて、前記チューナ部から出力される映像信号から得られるコンテンツデータを記憶媒体へ録画する録画部
をさらに備えることを特徴とする請求項１２、請求項１３、請求項１５、請求項１６のいずれか１項記載の通信装置。
【請求項１８】
前記録画部は、前記他の通信装置から受信した録画要求が、前記信号検出部が放送信号の入力が無いことを検出した前記チューナ部に係るチャネルの情報である場合に、エラーメッセージを前記他の通信装置に返すこと
を特徴とする請求項１７記載の通信装置。
【請求項１９】
前記信号検出部は、前記アンテナ入力端子への放送信号の入力レベルが所定値以下の場合に、放送信号の入力が無いと検出すること
を特徴とする請求項１１記載の通信装置。
【発明の詳細な説明】
【技術分野】
【０００１】
本発明は、ネットワークを介して他の通信装置と通信する通信装置に関する。
【背景技術】
【０００２】
現在、ホームネットワーク技術として、ＤＬＮＡ（Ｄｉｇｉｔａｌ  Ｌｉｖｉｎｇ  Ｎｅｔｗｏｒｋ  Ａｌｌｉａｎｃｅ）の開発が進められている。ＤＬＮＡで利用する要素技術の１つにＵＰｎＰ（Ｕｎｉｖｅｒｓａｌ  Ｐｌｕｇ  ａｎｄ  Ｐｌａｙ）がある。特に、サーバ装置が提供するコンテンツデータ（音声データや映像データであるＡＶ（ａｕｄｉｏ／ｖｉｄｅｏ）データ）のリストであるコンテンツリストを公開する要素技術としてはＵＰｎＰ  ＣＤＳ（Ｃｏｎｔｅｎｔ  Ｄｉｒｅｃｔｏｒｙ  Ｓｅｒｖｉｃｅ、例えば非特許文献１参照）が、録画予約に関する要素技術としてはＵＰｎＰ  ＳＲＳ（Ｓｃｈｅｄｕｌｅｄ  Ｒｅｃｏｒｄｉｎｇ  Ｓｅｒｖｉｃｅ、例えば非特許文献２参照）が利用されている。
【０００３】
ＣＤＳは、サーバ装置が提供可能なコンテンツデータのリストであるコンテンツリストを提供するサービスであり、ＵＰｎＰ  ＣＤＳの規格では、再生装置がコンテンツリストを取得する方法や、コンテンツリストに含まれる各コンテンツデータの詳細情報を取得する方法等を取り決めている。尚、ＣＤＳが提供するコンテンツリストには、例えばＨＤＤ（Ｈａｒｄ  Ｄｉｓｋ  Ｄｒｉｖｅ）等の記憶媒体に記憶されているコンテンツデータのみならず、チューナで放送波を受信して順次得られる、ライブ放送コンテンツデータの項目も含ませることができる。
【非特許文献１】Ｋｉｒｔ  Ｄｅｂｉｑｕｅ、外６名、“ＣｏｎｔｅｎｔＤｉｒｅｃｔｏｒｙ：１  Ｓｅｒｖｉｃｅ  Ｔｅｍｐｌａｔｅ  Ｖｅｒｓｉｏｎ  １．０１”、［ｏｎｌｉｎｅ］、２００２年６月２５日、ＵＰｎＰ  Ｆｏｒｕｍ、［平成１８年８月１日検索］、インターネット（ＵＲＬ：http://www.upnp.org/standardizeddcps/documents/ContentDirectory1.0.pdf）
【非特許文献２】Ａｌａｎ  Ｐｒｅｓｓｅｒ、外１３名、“ＳｃｈｅｄｕｌｅｄＲｅｃｏｒｄｉｎｇ：１  Ｓｅｒｖｉｃｅ  Ｔｅｍｐｌａｔｅ  Ｖｅｒｓｉｏｎ  １．０１”、［ｏｎｌｉｎｅ］、２００６年３月３１日、ＵＰｎＰ  Ｆｏｒｕｍ、［平成１８年８月１０日検索］、インターネット（ＵＲＬ：http://www.upnp.org/specs/av/UPnP-av-ScheduledRecording-v1-Service-20060531.pdf）
【発明の開示】
【発明が解決しようとする課題】
【０００４】
しかしながら、当該サーバ装置が希望のチャネルを受信可能なチューナを備えていても、実際には当該チャネルを正常に受信できない場合がある。例えば、アンテナ入力端子にアンテナからの信号線が接続されていない場合や、放送信号にかけられた暗号を解除する暗号鍵を記憶するＩＣカードが挿入されていない場合等である。このような場合に、チューナで受信可能なチャネルをサーバ装置がＣＤＳとして全て公開すると、実際には正常に受信することのできないチャネルまでもクライアント装置に公開することとなる。これにより、クライアント装置側のユーザは、実際には正常に視聴することのできないチャネルのライブ放送コンテンツデータの伝送要求や、実際には正常に録画することのできないチャネルの録画要求をＳＲＳとしてのサーバ装置に送信する可能性がある。
【０００５】
そこで本発明は、チューナで受信可能なチャネルの中に正常に受信することのできないチャネルがある場合に、それを把握させることのできる通信装置を提供することを目的とする。
【課題を解決するための手段】
【０００６】
上記目的を達成するために、請求項１記載の通信装置は、ネットワークを介して他の通信装置と通信する通信部と、アンテナからの放送信号が入力されるアンテナ入力端子と、前記アンテナ入力端子から入力される放送信号から所定のチャネルの映像信号を出力するチューナ部と、前記アンテナ入力端子への放送信号の入力の有無を検出する信号検出部と、前記信号検出部が放送信号の入力を検出したチューナ部で受信可能なチャネルの情報を項目として持つコンテンツリストを、前記通信部を介して前記他の通信装置に提示する提示部とを備えることを特徴とする。
【０００７】
請求項１１記載の通信装置は、他の通信装置とＵＰｎＰによりネットワークを介して通信する通信部と、アンテナからの放送信号が入力されるアンテナ入力端子と、前記アンテナ入力端子から入力される放送信号から所定のチャネルの映像信号を出力するチューナ部と、前記アンテナ入力端子への放送信号の入力の有無を検出する信号検出部と、ＣＤＳとして機能し、前記信号検出部が放送信号の入力を検出したチューナ部で受信可能なチャネルの情報をｉｔｅｍ要素として前記他の通信装置に提示する提示部とを備えることを特徴とする。
【発明の効果】
【０００８】
本発明によれば、チューナで受信可能なチャネルの中に正常に受信することのできないチャネルがある場合に、それを把握させることのできる通信装置を提供することができる。
【発明を実施するための最良の形態】
【０００９】
以下、本発明の通信装置について、図面を参照しながら説明する。
【実施例１】
【００１０】
図１は、本発明の通信装置の実施例１である録画装置が使用される通信システムの構成を示す図である。通信システム１は、放送波を受信し録画する機能を有する録画装置２（通信装置）と、再生装置３（他の通信装置）とから構成される。尚、録画装置２と再生装置３とは、其々ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）により通信が行われるネットワーク４に接続される。
【００１１】
ここで、再生装置３は例えばデジタルテレビ等であり、録画装置２は再生装置３からの指示に基づいて録画実行を行うＤＶＤ（Ｄｉｇｉｔａｌ  Ｖｅｒｓａｔｉｌｅ  Ｄｉｓｋ）レコーダやＨＤＤ（Ｈａｒｄ  Ｄｉｓｋ  Ｄｒｉｖｅ）レコーダ等である。両装置を接続するネットワーク４は、例えばＬＡＮ（Ｌｏｃａｌ  Ａｒｅａ  Ｎｅｔｗｏｒｋ）等である。
【００１２】
録画装置２は、アンテナ５及び６の２つのアンテナに接続されており、アンテナ５及び６から入力される放送波をチューナ部で受信して録画する機能を有する。また録画装置２は、アンテナ５及び６から入力される放送信号から順次得られるコンテンツデータや記憶媒体に録画したコンテンツデータのコンテンツリストを、ネットワーク４を介して再生装置３へ提示（送信）する機能を有する。
【００１３】
再生装置３は、ネットワーク４を介して録画装置２へ録画予約の設定をしたり、録画装置２から送信されるコンテンツデータを受信して再生し、自身の持つ表示部や音声出力部、或いは外部の表示装置や音声出力装置に出力したり機能を有する。
【００１４】
ここで、録画装置２及び再生装置３は、其々ＵＰｎＰに対応したＡＶ（Ａｕｄｉｏ／Ｖｉｓｕａｌ）機器である。ＵＰｎＰでは、ＡＶ機器向けにＵＰｎＰ  ＡＶ  Ａｒｃｈｉｔｅｃｔｕｒｅという仕様が規定されている。このＵＰｎＰ  ＡＶ  Ａｒｃｈｉｔｅｃｔｕｒｅではネットワークの基本構成として、デバイス（Ｄｅｖｉｃｅ）、サービス（Ｓｅｒｖｉｃｅ）、コントロールポイント（Ｃｏｎｔｒｏｌ  Ｐｏｉｎｔ）が定義されている。デバイスはＵＰｎＰ  ＡＶに対応した機器であり、サービスはデバイスを提供する機能を表す最小単位である。各デバイスは、少なくとも１つのサービスを有する被制御機器である。コントロールポイントは、デバイスの有するサービスを制御し、利用するものである。また、ひとつの機器の中に複数のデバイス機能を持たせることもでき、更に、コントロールポイントとデバイスとが一体となった機器を考えることもできる。
【００１５】
ＵＰｎＰ  ＡＶ  Ａｒｃｈｉｔｅｃｔｕｒｅでは、被制御機能を実装し、コンテンツデータを提供するサーバデバイスとしてＵＰｎＰ  Ｍｅｄｉａ  Ｓｅｒｖｅｒ  Ｄｅｖｉｃｅ（以下ＭＳＤとも称す）が定義されているが、本通信システム１では、録画装置２がＭＳＤとして機能する。ＭＳＤである本実施例の録画装置２は、コンテンツリストの公開を行うサービスであるＣＤＳ（Ｃｏｎｔｅｎｔ  Ｄｉｒｅｃｔｏｒｙ  Ｓｅｒｖｉｃｅ）と、予約録画機能を提供するサービスであるＳＲＳ（Ｓｃｈｅｄｕｌｅｄ  Ｒｅｃｏｒｄｉｎｇ  Ｓｅｒｖｉｃｅ）とを提供する。尚、ＣＤＳ及びＳＲＳは、ＵＰｎＰ  ＡＶ（ＳＲＳはＵＰｎＰ  ＡＶ  ｖ２以降）で定義されている。
【００１６】
また、ＵＰｎＰ  ＡＶ  Ａｒｃｈｉｔｅｃｔｕｒｅでは再生側のデバイスとして、ＵＰｎＰ  Ｍｅｄｉａ  Ｒｅｎｄｅｒｅｒ  Ｄｅｖｉｃｅ（以下ＭＲＤとも称す）が定義されているが、本通信システム１では再生装置３がＭＲＤとして機能する。
【００１７】
さらに再生装置３は、ＭＲＤとして機能すると共に、ＭＳＤが提供するサービスを制御、利用するＭＳＣＰ（Ｍｅｄｉａ  Ｓｅｒｖｅｒ  Ｃｏｎｔｒｏｌ  Ｐｏｉｎｔ）としての機能も併せて有する。
【００１８】
ここで、ユーザがデジタルテレビ等である再生装置３を使用して、録画装置２に保存されているコンテンツデータを視聴する場合や録画する場合の一般的な流れについて、図２を参照しながら簡単に説明する。
【００１９】
図２（ａ）は、再生装置３がＣＤＳである録画装置２からコンテンツリストを取得する際の処理の流れを示す図である。
まず、コントロールポイントである再生装置３はＣＤＳとしての録画装置２に、コンテンツリストの取得を要求するＢｒｏｗｓｅアクション（閲覧要求）を送信する（Ｓ２１）。すると、ＣＤＳである録画装置２はその応答として、コンテンツリストをＢｒｏｗｓｅ  Ｒｅｓｐｏｎｓｅとして送信する（Ｓ２２）。これにより再生装置３は、録画装置２が提供可能なコンテンツデータや、その詳細情報（例えば、タイトル、クラス、ＵＲＩ（Ｕｎｉｆｏｒｍ  Ｒｅｓｏｕｒｃｅ  Ｉｄｅｎｔｉｆｉｅｒ）情報、通信プロトコル情報、チャネル番号等の情報）を取得することができる。
【００２０】
ここで、本実施例に係る録画装置２は、正常に視聴又は録画することのできるチャネルと、正常に視聴又は録画することのできないチャネルとを再生装置３が判別できるようにしたコンテンツリストを公開する。録画装置２が提示、送信するコンテンツリストの詳細については、図４乃至図７を参照しながら後述する。
【００２１】
尚、図２（ａ）の例ではコンテンツリストを取得する方法としてＢｒｏｗｓｅアクションを使用したが、再生装置３はＳｅａｒｃｈアクションでもコンテンツリストを取得することが可能である。以下、再生装置３がコンテンツリストを取得するアクションとしてＢｒｏｗｓｅアクションを使用するものとして説明を行うが、Ｓｅａｒｃｈアクションを使用しても良い。
【００２２】
次に、再生装置３がコンテンツデータを取得する際の処理の流れについて、図２（ｂ）を参照しながら説明する。図２（ｂ）は、再生装置３が録画装置２からコンテンツデータを取得する際の処理の流れを示す図である。
【００２３】
再生装置３は、図２（ａ）を参照して説明した処理により取得したコンテンツリストから、１つのコンテンツデータを選択する。ＭＲＤ且つＭＳＣＰである再生装置３は、選択したコンテンツデータの詳細情報としてコンテンツリストに記載されたＵＲＩに向けて、同じく詳細情報として記載された通信プロトコル（図２（ｂ）の例ではＨＴＴＰ  ＧＥＴ）によりコンテンツデータの取得要求を送信する（Ｓ２３）。この応答として、ＭＳＤである録画装置２は再生装置３へコンテンツデータの送信を開始する（Ｓ２４）。再生装置３は当該コンテンツデータのストリーミング再生等により映像や音声を再生することができる。
【００２４】
続いて、再生装置３が録画装置２へ録画要求を行う際の処理の流れについて、図２（ｃ）を参照しながら説明する。図２（ｃ）は、再生装置３が録画装置２へ録画指示を行う際の処理の流れを示す図である。
【００２５】
再生装置３は、図２（ａ）を参照して説明した処理により取得したコンテンツリストから、録画装置２で受信可能なチャネルの情報を取得することができる。再生装置３は、当該受信可能なチャネルに対し、録画予約要求であるＣｒｅａｔｅＲｅｃｏｒｄＳｃｈｅｄｕｌｅアクションを送信する（Ｓ２５）。ＳＲＳでは、６種類の予約設定方法（ｃｌａｓｓ）が定義されているが、例えばｍａｎｕａｌであれば、ＣｒｅａｔｅＲｅｃｏｒｄＳｃｈｅｄｕｌｅアクションでチャネル、録画開始時刻、録画時間等を指定する。ＳＲＳである録画装置２は、受信した録画予約要求に基づいて録画予約情報であるｒｅｃｏｒｄＳｃｈｅｄｕｌｅオブジェクト及びｒｅｃｏｒｄＴａｓｋオブジェクトを設定し、その結果（ｒｅｃｏｒｄＳｃｈｅｄｕｌｅオブジェクト生成の成功／失敗等）を応答（Ｒｅｓｐｏｎｓｅ）として送信する（Ｓ２６）。Ｓ２６の応答が成功である場合には、録画予約が正常に録画装置２に設定されたことを示すので、録画装置２は録画開始時間を待って録画を行う。
【００２６】
次に、図３を参照しながら録画装置２の構成を説明する。図３は、録画装置２の構成を示す図である。
録画装置２は、アンテナ入力端子２０１と、アナログ地上波チューナ部２０２と、アンテナ入力端子２０３と、ＢＳデジタルチューナ部２０４と、ＩＣカードリーダ２０５と、番組記録部２０６と、ＨＤＤ（Ｈａｒｄ  Ｄｉｓｋ  Ｄｒｉｖｅ）２０７と、通信Ｉ／Ｆ（Ｉｎｔｅｒｆａｃｅ）部２０８（通信部）と、コンテンツリストを提示、公開するＣＤＳ部２０９（提示部）と、コンテンツデータ読込部２１０と、録画予約機能を提供するＳＲＳ部２１１（録画部）と、録画予約情報記憶部２１２と、メモリ２１３と、現在時刻情報取得部２１４と、アンテナ入力信号検出部２１５（信号検出部）と、契約情報検出部２１６とから構成される。
【００２７】
アンテナ入力端子２０１は、例えばアンテナ５（図１参照）と接続され、アナログ地上波放送の放送信号が入力される端子である。当該アンテナ入力端子２０１はアナログ地上波チューナ部２０２及びアンテナ入力信号検出部２１５に当該放送信号を出力する。
【００２８】
アナログ地上波チューナ部２０２は、アンテナ入力端子２０１から入力された放送信号から、所定のチャネルの映像信号を番組記録部２０６へ出力する。以下、アナログ地上波チューナ部２０２で受信可能なチャネルは、１チャネル、３チャネル、４チャネル、６チャネル、８チャネル、１０チャネル、１２チャネルであるものとする。
【００２９】
アンテナ入力端子２０３は、例えばアンテナ６（図１参照）と接続され、ＢＳデジタル放送の放送信号が入力される端子である。当該アンテナ入力端子２０３はＢＳデジタルチューナ部２０４及びアンテナ入力信号検出部２１５に当該放送信号を出力する。
【００３０】
ＢＳデジタルチューナ部２０４は、アンテナ入力端子２０３から入力された放送信号から、所定のチャネルの映像信号を番組記録部２０６へ出力する。このとき当該放送信号に暗号化が施されている場合には、Ｂ−ＣＡＳ（登録商標）カード等であるＩＣカードＣからＩＣカードリーダ部２０５が読み取る暗号鍵に基づいてＢＳデジタルチューナ部２０４は暗号を解除する。即ち、ＩＣカードリーダ部２０５にＩＣカードＣが挿入されていない場合にはＢＳデジタルチューナ部２０４は暗号を解除することができないので、ユーザは番組を正常に視聴、録画をすることができない。以下、ＢＳデジタルチューナ部２０４で受信可能なチャネルは、１０１チャネル、１０２チャネル、１０３チャネル、１４１チャネル、１５１チャネル、１６１チャネル、１７１チャネル、１８１チャネル、１９１チャネルであるものとし、また、ＢＳデジタル放送の放送信号には暗号化が施されているものとして説明を行う。
【００３１】
番組記録部２０６は、アナログ地上波チューナ部２０２及びＢＳデジタルチューナ部２０４から出力される映像信号を、ＳＲＳ部２１１からの記録の開始／終了指示に基づいてＨＤＤ２０７に録画コンテンツデータ２０７ａとして記録（録画）する記録機能を有する。
【００３２】
通信Ｉ／Ｆ部２０８は、ネットワーク４でＴＣＰ／ＩＰにより通信するための通信インタフェースであり、再生装置３から送信される、コンテンツリストの閲覧を要求するＢｒｏｗｓｅアクション（図２（ａ）のＳ２１）や、コンテンツの取得要求（図２（ｂ）のＳ２３）、録画予約要求であるＣｒｅａｔｅＲｅｃｏｒｄＳｃｈｅｄｕｌｅアクション（図２（ｃ）のＳ２５）は、通信Ｉ／Ｆ部２０８で受信する。また同様に、Ｂｒｏｗｓｅ  Ｒｅｓｐｏｎｓｅ（図２（ａ）のＳ２２）や送信するコンテンツデータ、ＣｒｅａｔｅＲｅｃｏｒｄＳｃｈｅｄｕｌｅ  Ｒｅｓｐｏｎｓｅ（図２（ｃ）のＳ２６）等は、通信Ｉ／Ｆ部２０８から再生装置３へ送信される。
【００３３】
ＣＤＳ部２０９はＣＤＳとしてコンテンツリストを公開する機能を有し、再生装置３からのＢｒｏｗｓｅアクション等の要求に基づいてコンテンツリストを送信する。本実施例のＣＤＳ部２０９が公開するコンテンツリストには、コンテンツデータ読込部２１０を介して読み込まれるＨＤＤ２０７に記録された録画コンテンツデータ２０７ａ、アナログ地上波チューナ部２０２及びＢＳデジタルチューナ部２０４で受信可能な各チャネルに係る項目が其々ｉｔｅｍ要素として含まれるものとする。
【００３４】
このときＣＤＳ部２０９は、アンテナ入力信号検出部２１５及び契約情報検出部２１６による放送信号の入力の有無、及びＩＣカードＣの挿入の有無等に基づき、アナログ地上波チューナ部２０２及びＢＳデジタルチューナ部２０４で受信可能なチャネルに係る項目（ｉｔｅｍ要素）の公開方法を変える機能を持つ。ＣＤＳ部２０９が提示するコンテンツリストの詳細は図４以降を参照しながら後述する。
【００３５】
ＳＲＳ部２１１はＳＲＳとして予約録画機能を提供する機能を有し、再生装置３から録画予約要求であるＣｒｅａｔｅＲｅｃｏｒｄＳｃｈｅｄｕｌｅアクションを受信し、当該要求に基づいて予約録画を行う。先述の通り、ＣｒｅａｔｅＲｅｃｏｒｄＳｃｈｅｄｕｌｅアクションを受信すると、その内容に基づき、予約情報であるｒｅｃｏｒｄＳｃｈｅｄｕｌｅオブジェクト及び予約録画の実行主体であるｒｅｃｏｒｄＴａｓｋオブジェクトを作成する。ＳＲＳ部２１１は作成したこれらのオブジェクトを録画予約情報２１３ａとして録画予約情報記憶部２１２にメモリ２１３へ記録させる。
【００３６】
さらに、ＳＲＳ部２１１は現在時刻情報取得部２１４から時刻情報を取得し、録画予約情報２１３ａに設定された録画開始時刻と現在時刻とが一致すれば、番組記録部２０６に対し記録（記録）開始を指示する。さらに、録画開始後指定された録画時間が経過すれば、ＳＲＳ部２１１は番組記録部２０６に対し記録終了を指示する。
【００３７】
アンテナ入力信号検出部２１５は、アンテナ入力端子２０１及び２０３に其々放送信号が正常に入力されているか否か（アンテナケーブルが刺さっているか否か）を検出し、ＣＤＳ部２０９に通知する。アンテナ入力端子２０１及び２０３に其々放送信号が入力されていなければ、たとえ録画装置２がチューナを有している場合であっても正常に視聴、録画等をすることができないからである。
【００３８】
また、アンテナケーブルが刺さっていて放送信号が入力されている場合であっても、降雨等の影響で受信状態が悪く、信号入力レベルが低い場合等には、正常に視聴、録画をすることはできない。そこで、例えば信号入力レベル予め定められた閾値を下回る場合等には、入力信号が無いものとみなした検出結果をＣＤＳ部２０９に通知しても良い。
【００３９】
契約情報検出部２１６は、２つの機能を有する。まず、ＩＣカードリーダ部２０５がＩＣカードＣから暗号鍵を読み込むことができるか否かを検出する機能を有する。ＢＳデジタル放送等のデジタル放送では通常、放送信号に対し暗号化が施されている。この暗号を解除するための暗号鍵を記憶するＢ−ＣＡＳカード等のＩＣカードは、契約により使用することができる。即ち、ＩＣカードリーダ部２０５のスロット（図示せず）にＩＣカードＣがきちんと挿入されていない等の理由によりＩＣカードＣから暗号鍵を読み込むことができない場合（即ち契約済みであることを検出できない場合）、ＢＳデジタルチューナ部２０４はＢＳデジタル放送の放送信号にかけられた暗号を復号することができない。これにより録画装置２がＢＳデジタルチューナ部２０４を有していても、ＢＳデジタル放送の各チャネルをユーザは正常に視聴、録画することができないため、契約情報検出部２１６はＩＣカードリーダ部２０５が正常に暗号鍵を読み込むことができるか否かを検出し、ＣＤＳ部２０９に通知している。
【００４０】
契約情報検出部２１６は二つめの機能として、視聴のためにＩＣカードＣとは別に契約が必要なチャネルか否かを判断し、視聴のために別途契約が必要なチャネルである場合には、当該契約の有無を検出する機能を有する。例えば、ＣＳデジタル放送や、ＢＳデジタル放送の１９１チャネル等は、視聴の際に、Ｂ−ＣＡＳカード等のＩＣカードだけでなく、別途放送局との間で契約が必要となる。契約情報検出部２１６は当該契約の有無を検出し、その結果をＣＤＳ部２０９に通知する。
【００４１】
尚、本実施例の録画装置２のアンテナ入力端子２０１及びアンテナ入力端子２０３には、アナログ地上波放送及びＢＳデジタル放送の放送信号が其々入力されたが、これに限られるものではない。例えば、地上波デジタル放送やＣＳデジタル放送等の放送信号が入力されても良い。また、録画装置２が有するアンテナ入力端子及びチューナの数が２つである必要もなく、１つ、若しくは３つ以上であっても良い。
【００４２】
続いて、録画装置２のＣＤＳ部２０９が提供するコンテンツリストについて、図４乃至図７を参照しながら説明する。
ＣＤＳでは、コンテンツリストをコンテナ（ｃｏｎｔａｉｎｅｒ）とアイテム（ｉｔｅｍ）とによってコンテンツデータの情報を管理している。アイテムはコンテンツデータを格納するＸＭＬ（Ｅｘｔｅｎｓｉｂｌｅ  Ｍａｒｋｕｐ  Ｌａｎｇｕａｇｅ）要素（ｅｌｅｍｅｎｔ）として定義されており、１つのコンテンツデータを１つのアイテムによって表現する。一方コンテナは、アイテム及びコンテナを子供として持つことのできるＸＭＬ要素として定義されている。
【００４３】
即ち、一般的なファイルシステムに喩えれば、コンテナはディレクトリに相当し、アイテムはファイルに相当する。そしてＣＤＳでは、ひとつだけ存在するルートコンテナという特殊なコンテナを根とした木構造によってコンテンツデータを管理する。
【００４４】
図４は、ＣＤＳ部２０９が提供するコンテンツリストの構造例を示す図である。図４に係るコンテンツリスト４００は、コンテナ４０１をルートコンテナとしている。コンテナ４０１は、ＨＤＤ２０７が記憶する録画コンテンツデータ２０７ａに係るアイテムを格納するコンテナ４１１と、アナログ地上波チューナ部２０２で受信可能なチャネルに係るアイテムを格納するコンテナ４１２と、ＢＳデジタルチューナ部２０４で受信可能なチャネルに係るアイテムを格納するコンテナ４１３とを子供として持つ。
【００４５】
コンテナ４１１は、ＨＤＤ２０７に録画、記憶された録画コンテンツデータ２０７ａに其々対応するアイテム４１２乃至４２２を子供として持つ。コンテナ４１２はアナログ地上波チューナ部２０２で受信可能なチャネルに其々対応するアイテム４２３乃至４２４を子供として持つ。コンテナ４１３は同様に、ＢＳデジタルチューナ部２０４で受信可能なチャネルに其々対応するアイテム４２５乃至４２７を子供として持つ。
【００４６】
以下、アイテム４２３及び４２４は、其々アナログ地上波チューナ部２０２で受信可能な１チャネル及び１２チャネルに、アイテム４２５、４２６、及び４２７は其々ＢＳデジタルチューナ部２０４で受信可能な１０１チャネル、１８１チャネル、及び１９１チャネルに対応するものとする。さらに、１９１チャネルは、視聴／録画するためには、ＩＣカードＣとは別に契約が必要であるものとする。
【００４７】
再生装置３は、ＣＤＳ部２０９を有する録画装置２に対してＢｒｏｗｓｅアクションやＳｅａｒｃｈアクションを送信することにより、コンテンツリスト４００の全体又は一部を取得することができる。
【００４８】
図５は、コンテナ４１２及び４１３下のアイテムを閲覧するためのＢｒｏｗｓｅアクションを再生装置３から受信した場合に、ＣＤＳ部２０９が提示するコンテンツリストの例を示す図である。尚、図５の例では、アンテナ入力端子２０１及びアンテナ入力端子２０３にはアンテナケーブルが刺さっており、正常に放送信号が入力されているものとする。また、ＩＣカードリーダ部２０５はＩＣカードＣを正常に読み取ることができ、さらに視聴の際に別途契約が必要となるＢＳデジタル放送の１９１チャネルへの契約も行われているものとする。
【００４９】
図５の例に示すコンテンツリスト内には、アナログ地上波チューナ部２０２で受信可能なチャネルに対応するアイテム４２３乃至４２４、及びＢＳデジタルチューナ部２０４で受信可能なチャネルに対応するアイテム４２５乃至４２７が記載されている。
【００５０】
図５の例では、アイテム４２３乃至４２７を表す各ｉｔｅｍ要素は、タイトル情報を記載するｄｃ：ｔｉｔｌｅ要素、クラス情報を記載するｕｐｎｐ：ｃｌａｓｓ要素を子要素として有する。
【００５１】
さらにｉｔｅｍ要素は、リソース情報を記載するｒｅｓ要素も子要素として有する。ｒｅｓ要素には、ｐｒｏｔｏｃｏｌＩｎｆｏ属性（Ａｔｔｒｉｂｕｔｅ）として通信プロトコル情報（アイテム４３２の例では“ｈｔｔｐ−ｇｅｔ：＊：ｖｉｄｅｏ／ｍｐｅｇ：ＤＬＮＡ．ＯＲＧ＿ＰＮ＝ＭＰＥＧ＿ＰＳ＿ＮＴＳＣ”）が、子テキストとしてＵＲＩ情報（以下位置情報とも称す、アイテム４２３の例では“ｈｔｔｐ：／／１６９．２５４．６０．１２４／０１ｃｈ．ｍｐｇ”）が記載される。
【００５２】
再生装置３は、アイテム４２３に対応するコンテンツデータである、アナログ地上波チューナ部２０２の０１ｃｈとして受信する番組をリアルタイムで視聴する場合には、当該通信プロトコル情報及びＵＲＩ情報に基づき、ＵＲＩ“ｈｔｔｐ：／／１６９．２５４．６０．１２４／０１ｃｈ．ｍｐｇ”に対し、ＨＴＴＰ  ＧＥＴによる取得要求を送信することにより当該コンテンツデータを取得し、放送を視聴することができる。
【００５３】
次に、アンテナケーブルが刺さっていない等の事情により、アンテナ入力端子２０３に放送信号が入力されていない場合や、ＩＣカードＣがＩＣカードリーダ部２０５に挿入されていない等の事情によりＢＳデジタル放送の放送信号にかけられた暗号を解除できない場合に、ＣＤＳ部２０９が提示するコンテンツリストの例について図６を参照しながら説明する。図６は、上述の条件下で、コンテナ４１２及び４１３下のアイテムを閲覧するためのＢｒｏｗｓｅアクションの応答としてＣＤＳ部２０９が再生装置３へ提示するコンテンツリストの例である。
【００５４】
アンテナ入力端子２０３に放送信号の入力が無い場合や、若しくはＩＣカードリーダ部２０５がＩＣカードＣから暗号鍵を読み取ることができない（契約済みであることを検出できない）場合には、ＢＳデジタルチューナ部２０４を備えていても、ユーザは録画装置２を使用したＢＳデジタル放送の視聴及び録画を正常に行うことはできない。よってアンテナ入力信号検出部２１５が放送信号の入力の無いことを検出した場合、若しくはＩＣカードリーダ部２０５がＩＣカードＣを読み取ることができないことを契約情報検出部２１６が検出した場合には、ＣＤＳ部２０９は図６に示すように、ＢＳデジタルチューナ部２０４で受信するチャネルに対応するアイテム４２５乃至４２７を全く提示しない。
【００５５】
このようにＢＳデジタルチューナ部２０４で受信可能なチャネルであっても、正常に視聴、録画することのできないチャネルをアイテム要素として公開しないことで、ユーザが再生装置３から誤った録画要求や視聴要求を送信することを避けることができるようになる。
【００５６】
尚、図６の例ではＢＳデジタル放送の放送信号の入力が無い場合について説明したが、アナログ地上波放送の放送信号の入力が無い場合には、同様にアナログ地上波放送の放送信号の入力が無い場合には、アナログ地上波放送の各チャネルに対応するアイテム４２３乃至４２４を提示しないようにすれば良い。
【００５７】
次に、アンテナ入力端子２０３及び２０４に放送信号が入力されており、且つＩＣカードリーダ部２０５がＩＣカードＣから暗号鍵を読み取ることはできるが、１９１チャネルを視聴するための契約がなされておらず、当該チャネルを視聴及び録画できない場合について説明する。図７は、１９１チャネルに対する契約がなされていない場合にＣＤＳ部２０９が再生装置３へ提示するコンテンツリストの例である。
【００５８】
アンテナ入力端子２０１へアナログ地上波放送の放送信号が入力されている場合には、アナログ地上波チューナ部２０２で受信可能なチャネルは全て視聴及び録画することができる。よってＣＤＳ部２０９は、図７に示すようにアナログ地上波放送のチャネルに対応するアイテム４２３乃至４２４をコンテンツリストとして再生装置３へ提示する。
【００５９】
また同様に、アンテナ入力端子２０３へＢＳデジタル放送の放送信号が入力されており、且つ、ＩＣカードリーダ部２０５にＩＣカードＣが正常に挿入されており、ＢＳデジタルチューナ部２０４が放送信号にかけられた暗号を解除できる場合には、別途の契約が不要なＢＳデジタル放送のチャネルである１０１チャネル乃至１８１チャネルは全て視聴及び録画することができる。よってＣＤＳ部２０９は、図７に示すように当該チャネルに対応するアイテム４２５乃至をコンテンツリストとして再生装置３へ提示する。
【００６０】
しかしながら、１９１チャネルを視聴するための契約が為されていない場合には、ユーザは１９１チャネルを正常に視聴、録画することはできない。よって、契約情報検出部２１６が１９１チャネルに対する契約を検出できない場合には、その通知を受けたＣＤＳ部２０９は、図７に示すように当該チャネルに対応するアイテム４２７をコンテンツリストには含めず、再生装置３へ提示しない。
【００６１】
本実施例では、別途契約が必要なチャネルとして１９１チャネルを例に説明を行ったがこれに限られるものではなく、例えばＣＳデジタル放送等も視聴、録画に契約が必要であるため、同様の手法を用いることができる。
【００６２】
図８を参照しながら、ＣＤＳ部２０９が提示するコンテンツリストの更新処理について説明する。尚、ＣＤＳ部２０９が当該コンテンツリストの更新処理を開始するトリガはいくつか考えられるが、例えば１分毎等の定期的に行うようにしても良いし、或いは再生装置３からコンテンツリストの提示要求（ＢｒｏｗｓｅアクションやＳｅａｒｃｈアクション等の受信時）に行うようにしても良い。前者の手法を用いれば、再生装置３からのコンテンツリストの提示要求時の応答速度を上げることができる。一方後者の手法を用いれば、必要なときだけコンテンツリストの更新処理を行うため当該処理回数を減らすことができ、処理負荷を下げることができる。
【００６３】
コンテンツリストの更新処理を開始すると、まずアンテナ入力信号検出部２１５は、アナログ地上波放送の放送信号が入力されるアンテナ入力端子２０１への信号の入力の有無を検出する（Ｓ８０１）。アナログ地上波放送の放送信号が検出された場合には（Ｓ８０１のＹｅｓ）、再生装置３はアナログ地上波放送を正常に視聴、録画することができるので、ＣＤＳ部２０９はアナログ地上波チューナで受信可能なチャネルのｉｔｅｍ要素をコンテンツリスト４００内に記載する（図５、図６、図７参照）。
【００６４】
一方、アンテナ入力信号検出部２１５がアンテナ入力端子２０１への放送信号の入力を検出できない場合には、再生装置３はアナログ地上波放送を正常に視聴、録画することができないので、ＣＤＳ部２０９はアナログ地上波チューナで受信可能なチャネルのｉｔｅｍ要素をコンテンツリスト４００から削除する（Ｓ８０３）。
【００６５】
続いて、アンテナ入力信号検出部２１５は、ＢＳデジタル放送の放送信号が入力されるアンテナ入力端子２０３への信号の入力の有無を検出する（Ｓ８０４）。アンテナ入力端子２０３への信号の入力が検出された場合には（Ｓ８０４のＹｅｓ）、契約情報検出部２１６は、ＩＣカードリーダ部２０５がＩＣカードＣから正常に読み込むことができるか否かを検出する（Ｓ８０５）。ＢＳデジタル放送の放送信号が入力されていない場合（Ｓ８０４のＮｏ）、又はＩＣカードリーダ部２０５がＩＣカードＣを読み込むことができない場合（Ｓ８０５のＮｏ）には、再生装置３はＢＳデジタル放送を正常に視聴、録画することができないので、ＣＤＳ部２０９は図６に示したようにＢＳデジタルチューナ部２０４で受信可能なチャネルのｉｔｅｍ要素をコンテンツリスト４００から削除する（Ｓ８０６）。
【００６６】
ＢＳデジタル放送の放送信号が入力されており（Ｓ８０４のＹｅｓ）、かつＩＣカードリーダ部２０５がＩＣカードＣから正常にデータを読み込むことができる場合には（Ｓ８０５のＹｅｓ）、まず、ＣＤＳ部２０９はＢＳデジタルチューナ部２０４で受信可能なチャネルの中から、１つのチャネルを選択する（Ｓ８０７）。そして、当該チャネルが、ＩＣカードＣの他に別途契約が必要なチャネルか否かを判断する（Ｓ８０８）。もし別途契約が必要なチャネルであれば（Ｓ８０８のＹｅｓ）、契約情報検出部２１６は当該契約の有無を検出する（Ｓ８０９）。もし契約が無ければ（Ｓ８０９のＮｏ）、当該チャネルを正常に視聴、録画することはできないので、ＣＤＳ部２０９は、図７に示したようにコンテンツリスト４００から当該ｉｔｅｍ要素を削除する（Ｓ８１１）。
【００６７】
一方、当該チャネルに別途契約が必要でない場合（Ｓ８０８のＮｏ）、又は当該チャネルに別途契約が必要な場合（Ｓ８０８のＹｅｓ）でも契約済みである場合（Ｓ８０８のＹｅｓ）には、再生装置３は当該チャネルの正常な視聴及び録画をすることができるので、ＣＤＳ部２０９は、図５のチャネル１９１に係るアイテム４２７に示したように、コンテンツリスト４００から当該ｉｔｅｍ要素を記載する（Ｓ８１０）。
【００６８】
当該チャネルに別途契約が必要であるが（Ｓ８０８のＹｅｓ）、その契約を契約情報検出部２１６が検出できない場合には（Ｓ８０９のＮｏ）、当該チャネルのｉｔｅｍ要素をコンテンツリスト４００から削除する（Ｓ８１１）。
【００６９】
Ｓ８１０またはＳ８１１の処理後、ＣＤＳ部２０９はＢＳデジタルチューナ部２０４で受信可能なチャネル全てについてＳ８０７乃至Ｓ８１１の処理を行ったか否かを判断し（Ｓ８１２）、もしまだ当該処理を終えていない場合には（Ｓ８１２のＮｏ）、未選択のチャネルをＳ８０７で選択し、当該チャネルについてＳ８０８以降の処理を行う。
【００７０】
もしＢＳデジタルチューナ部２０４で受信可能なチャネル全てについてＳ８０７乃至Ｓ８１１の処理を行っている場合には、コンテンツリスト４００の更新処理を終了する。
【００７１】
このように、ＣＤＳ部２０９はアナログ地上波チューナ部２０２又はＢＳデジタルチューナ部２０４で受信可能なチャネルであっても、正常に視聴、録画することができないチャネルは公開しないようにしている。これにより、例えばユーザがＢＳデジタル放送の１４１チャネルの録画設定を入力しようとした際に、再生装置３がＣＤＳ部２０９にＢｒｏｗｓｅ要求を行って１４１チャネルのｉｔｅｍ要素を取得することができなかった場合には、再生装置３が「その番組はその録画装置では録画することができません」等のメッセージ通知を行うことにより、ユーザに把握させることができるようになる。
【００７２】
続いて、図９を参照しながら、コントロールポイントである再生装置３からの録画要求指示に応じてＳＲＳ部２１１で行う予約録画の処理を説明する。図９は、予約録画に関する処理を示す図である。
【００７３】
まず、コントロールポイントである再生装置３から録画予約の要求であるＣｒｅａｔｅＲｅｃｏｒｄＳｃｈｅｄｕｌｅアクションを受信する（Ｓ９０１）。ＣｒｅａｔｅＲｅｃｏｒｄＳｃｈｅｄｕｌｅアクションを受信すると、ＳＲＳ部２１１は、要求を受けた録画予約が、受信可能なチューナのチャネルであるか否か、即ちアナログ地上波チューナ部２０２又はＢＳデジタルチューナ部２０４のいずれかで受信可能なチャネルであるか否かを判断する（Ｓ９０２）。受信可能なチャネルである場合には（Ｓ９０２のＹｅｓ）、当該チャネルを受信するチューナへの放送信号の入力があるか否かを判断する（Ｓ９０３）。この判断方法はいくつか考えられるが、例えばアンテナ入力信号検出部２１５で検出しても良いし、ＣＤＳ部２０９に問い合わせても良い。
【００７４】
放送信号の入力が確認できると（Ｓ９０３のＹｅｓ）、次に当該チャネルは視聴や録画に契約が必要なチャネルであるか否かを判断する（Ｓ９０４）。これは、例えばＢＳデジタル放送の各チャネルのように、暗号を解除するためのＩＣカードＣが必要であるチャネルであるか否かや、ＢＳデジタル放送の１９１チャネルのように、ＩＣカードＣの他に別途契約が必要なチャネルであるか否かの判断も含まれる。契約が必要なチャネルである場合には（Ｓ９０４のＹｅｓ）、当該チャネルの視聴、録画のための契約が終了しているか否かを判断する（Ｓ９０５）。
【００７５】
上記判断で、アナログ地上波チューナ部２０２又はＢＳデジタルチューナ部２０４で受信可能なチャネルに対する録画予約で無い場合（Ｓ９０２のＮｏ）、又は当該チャネルを受信するチューナへの放送信号の入力が無い場合（Ｓ９０３のＮｏ）、視聴契約済みであることを検出できない場合（Ｓ９０５のＮｏ）には、いずれの場合にも正常に録画できないと考えられるので、ＳＲＳ部２１１は録画予約を設定できなかった旨を示すＣｒｅａｔｅＲｅｃｏｒｄＳｃｈｅｄｕｌｅレスポンスを再生装置３に送信し（Ｓ９０６）、処理を終了する。
【００７６】
一方、アナログ地上波チューナ部２０２又はＢＳデジタルチューナ部２０４で受信可能なチャネルであって（Ｓ９０２のＹｅｓ）、視聴や録画に契約が必要なチャネルで無い場合（Ｓ９０４のＮｏ）、又は視聴や録画に契約が必要なチャネルであっても（Ｓ９０４のＹｅｓ）契約済みであることを検出できる場合（Ｓ９０５のＹｅｓ）には、ＳＲＳ部２１１は、録画予約記憶部２１２に当該録画予約を設定する（Ｓ９０７）。録画予約記憶部２１２は、予約設定としてのｒｅｃｏｒｄＳｃｈｅｄｕｌｅオブジェクト、及び実際に予約録画を実行する主体であるｒｅｃｏｒｄＴａｓｋオブジェクトを録画予約情報２１３ａとして作成し、メモリ２１３に記憶する。尚、当該ｒｅｃｏｒｄＴａｓｋ  ｏｂｊｅｃｔはｒｅｃｏｒｄＳｃｈｅｄｕｌｅオブジェクトと同時に作成する必要は無い。例えばｒｅｃｏｒｄＳｃｈｅｄｕｌｅオブジェクトを作成して所定時間後や、録画開始時刻の所定時間前などに作成しても良い。
【００７７】
録画予約情報記憶部２１２がｒｅｃｏｒｄＳｃｈｅｄｕｌｅオブジェクトの作成に成功すると、ＳＲＳ部２１１は設定した録画予約の内容や、当該設定したｒｅｃｏｒｄＳｃｈｅｄｕｌｅオブジェクトのＩＤ等をＣｒｅａｔｅＲｅｃｏｒｄＳｃｈｅｄｕｌｅアクションのレスポンス（応答）として送信する（Ｓ９０８）。
【００７８】
以上Ｓ９０１乃至Ｓ９０８までが録画予約の設定に係る処理である。続いて、設定した録画予約に応じた録画処理をＳ９０９以降で説明する。
ＳＲＳ部２１１は、現在時刻情報取得部２１４から取得される現在時刻と、録画予約情報記憶部２１２が設定したｒｅｃｏｒｄＴａｓｋオブジェクトの録画開始時間とを比較し、録画開始時間が現在時刻よりも前の時間であるか否か、即ち録画予約が設定された番組が現在放送中の番組であるか否かを判断する（Ｓ９０９）。Ｓ９０１で受信したＣｒｅａｔｅＲｅｃｏｒｄＳｃｈｅｄｕｌｅアクションが例えばＥＰＧ  ｃｌａｓｓによる録画要求である場合等には、放送中の番組に対する録画要求である場合も考えられるからである。
【００７９】
現在放送中の番組に対する録画予約で無い場合（Ｓ９０９のＮｏ）、ＳＲＳ部２１１は、録画予約情報記憶部２１２が設定しているＲｅｃｏｒｄＴａｓｋ  ｏｂｊｅｃｔとして設定された録画開始時刻と、現在時刻情報取得部２１４で取得できる現在時刻とを比較し（Ｓ９１０）、録画開始時刻となるのを待つ（Ｓ９１０のＮｏ）。
【００８０】
現在放送中の番組に対する録画要求である場合（Ｓ９０９のＹｅｓ）、又は録画開始時刻となった場合（Ｓ９１０のＹｅｓ）には、ＳＲＳ部２１１は、番組記録部２０６に録画開始を指示し、番組記録部２０６は当該指示に応じてアナログ地上波チューナ部２０２又はＢＳデジタルチューナ部２０４からの映像信号のＨＤＤ２０７に録画コンテンツデータ２０７ａとしての記録を開始する（Ｓ９１１）。
【００８１】
さらに、ＳＲＳ部２１１は、現在時刻情報部２１４により取得できる現在時刻から、録画時間が終了したか否かを判断し（Ｓ９１２）、録画時間に到達すれば（Ｓ９１２のＹｅｓ）、記録を終了する（Ｓ９１３）。
【００８２】
以上説明したように本実施例では、受信可能なチューナを持っている場合であっても、アンテナケーブルが刺さっておらず放送信号の入力が無い等の事情により正常に視聴、録画することのできない場合に、ＣＤＳ部２０９が当該チャネルを公開しない。チューナで受信可能なチャネルを全てＣＤＳ部２０９で公開すると、コントロールポイントである再生装置３が当該受信可能なチャネル情報を参考にして録画指示を行うと、放送信号が入力されておらずに正常に番組が記録されていないということにもなりかねなかった。本実施例では、そのようなチャネルはＣＤＳ部２０９が予め公開しないようにしているため、誤って視聴指示や録画指示を出すのを避けることができる。
【００８３】
また、図９に示したように、ＳＲＳ部２１１は、受信可能なチャネルを有している場合であっても（Ｓ９０２のＹｅｓ）、放送信号の入力が無い（Ｓ９０３のＮｏ）、ＩＣカードＣが挿入されていない等、契約を検出することができない（Ｓ９０５のＮｏ）等の理由により正常に録画することができない場合には録画することができない旨を通知する。これにより、たとえＣＤＳ部２０９が公開するコンテンツリストを参照せずにｍａｎｕａｌ等の方法でユーザが録画設定した場合であっても、録画設定時に正常に録画することができないことを知ることができる。
【実施例２】
【００８４】
実施例１では、録画装置２で受信可能なチャネルであっても、放送信号の入力が無い等の理由により正常に視聴、録画することのできないチャネルについてはＣＤＳ部２０９がｉｔｅｍ要素を公開しないことにより正常に視聴、録画可能なチャネルの情報を再生装置３に通知していたが、これに限られるものではない。
【００８５】
以下説明する実施例２では、チューナで受信可能なチャネルに関するｉｔｅｍ要素は全て公開するが、正常に視聴や録画することのできないチャネルである場合には付加情報をつけてＣＤＳが公開する場合の実施形態について説明する。
【００８６】
尚、図１を参照しながら説明した通信システム１の構成、図２を参照しながら説明した録画装置２と再生装置３との間の処理、図３を参照しながら説明した録画装置２の構成、図４を参照しながら説明したＣＤＳ部２０９が公開するコンテンツリスト４００の構造例については、実施例１とほぼ同様であるのでここでは説明を省略する。
【００８７】
図１０は、コンテナ４１２及び４１３下のアイテムを閲覧するためのＢｒｏｗｓｅアクションを再生装置３から受信した場合に、ＣＤＳ部２０９が提示するコンテンツリストの例を示す図である。尚、図１０の例では、アンテナ入力端子２０１には放送信号が正常に入力されているが、アンテナケーブルが刺さっていない等の事情により、アンテナ入力端子２０３には放送信号が入力されていないものとする。即ち、実施例１の図６の状況に対応する。
【００８８】
図１０の例では実施例１とは異なり、正常に視聴することのできないＢＳデジタル放送のチャネルである１０１チャネル乃至１９１チャネルについても、アイテム４２５乃至４２７として公開している。
【００８９】
また、アイテム４２３乃至４２７である各ｉｔｅｍ要素内に、ＵＰｎＰ  ＡＶで標準化が図られていない、独自に定義したｔｏｓａｖ：ｖｅｎｄｅｒＤｅｐｅｎｄｅｎｔＩｎｆｏ要素４２３ａ乃至４２７ａを記載している。
【００９０】
このｔｏｓａｖ：ｖｅｎｄｅｒＤｅｐｅｎｄｅｎｔＩｎｆｏ要素４２３ａ乃至４２７ａは、付加情報として記載される情報であり、入力信号の有無等の情報が記される。ここでは、ＢＳデジタルチューナ部２０４への放送信号の入力が無いため、ＢＳデジタルチューナ部２０４で受信可能な１０１チャネル乃至１９１チャネルに対応するアイテム４２５乃至４２７下のｔｏｓａｖ：ｖｅｎｄｅｒＤｅｐｅｎｄｅｎｔＩｎｆｏ要素４２５ａ乃至４２７ａには、其々「Ｎｏ  Ｓｉｇｎａｌ」と記載されている。
【００９１】
一方、放送信号の入力があるアナログ地上波チューナ部２０２で受信可能な１チャネル乃至１２チャネルは其々正常に視聴、録画が可能であるため、対応するアイテム４２３乃至４２４下のｔｏｓａｖ：ｖｅｎｄｅｒＤｅｐｅｎｄｅｎｔＩｎｆｏ要素４２３ａ乃至４２４ａには、其々何も記載されない。
【００９２】
これにより、ＣＤＳ部２０９からのＢｒｏｗｓｅレスポンスによりＢＳデジタルチューナ部２０４に関する各チャネルがＮｏ  Ｓｉｇｎａｌである旨の情報を取得した再生装置３は、例えば「放送波が入力されていません。アンテナケーブルが刺さっているか確認してください」等のエラーメッセージを表示し、ユーザに確認を促すこともできる。
【００９３】
次に、ＩＣカードリーダ部２０５がＩＣカードＣを読み取ることができない場合について説明する。図１１は、コンテナ４１２及び４１３下のアイテムを閲覧するためのＢｒｏｗｓｅアクションをコントロールポイントである再生装置３から受信した場合に、ＣＤＳ部２０９が提示するコンテンツリストの例を示す図である。ここで図１１の例では、アンテナ入力端子２０１及び２０３の両方に放送信号は正常に入力されているが、ＩＣカードＣが刺さっていない等の事情により、ＩＣカードリーダ部２０５がＩＣカードＣを正常に読み込むことができず、ＢＳデジタル放送を正常に視聴、録画できない状況であるものとする。即ち、図１０と同様、実施例１の図６の状況に対応する。
【００９４】
図１１の例では、図１０の場合と同様、正常に視聴することのできないＢＳデジタル放送のチャネルである１０１チャネル乃至１９１チャネルについても、アイテム４２５乃至４２７として公開している。しかしながら、視聴することのできない理由は図１０の場合と異なり、ＩＣカードＣを読み込むことができないからである。そこで、図１１の例では、ＢＳデジタルチューナ部２０４で受信可能な１０１チャネル乃至１９１チャネルに対応するアイテム４２５乃至４２７下のｔｏｓａｖ：ｖｅｎｄｅｒＤｅｐｅｎｄｅｎｔＩｎｆｏ要素４２５ａ乃至４２７ａには、其々「Ｎｏ  ＩＣ  Ｃａｒｄ」と記載されている。
【００９５】
これにより、ＣＤＳ部２０９からのＢｒｏｗｓｅレスポンスによりＢＳデジタルチューナ部２０４に関する各チャネルがＮｏ  ＩＣ  Ｃａｒｄである旨の情報を取得した再生装置３は、例えば「ＩＣカードを読み込むことができません。ＩＣカードが挿入されているか確認してください」等のエラーメッセージを表示し、ユーザに確認を即すこともできる。
【００９６】
最後に、ＩＣカードは挿入されているが、１９１チャネルを視聴するための契約が為されていない場合の例を説明する。図１２は、コンテナ４１２及び４１３下のアイテムを閲覧するためのＢｒｏｗｓｅアクションをコントロールポイントである再生装置３から受信した場合に、ＣＤＳ部２０９が提示するコンテンツリストの例を示す図である。ここで図１２の例では、アンテナ入力端子２０１及び２０３の両方に放送信号が正常に入力されており、さらにＩＣカードリーダ部２０５はＩＣカードＣを正常に読み込むことができるものとする。しかしながら、１９１チャネルを視聴するための契約はまだ為されていないものとする。即ち、実施例１の図７の状況に対応する。
【００９７】
図１２の例では、図１０、図１１の場合と同様、正常に視聴することのできないＢＳデジタル放送の１９１チャネルについても、アイテム４２７として公開している。しかしながら、当該チャネルは未契約であり、視聴、録画することができないためアイテム４２７下のｔｏｓａｖ：ｖｅｎｄｅｒＤｅｐｅｎｄｅｎｔＩｎｆｏ要素４２７ａには「Ｎｏｔ  Ｒｅｃｏｒｄａｂｌｅ」と記載されている。
【００９８】
これにより、ＣＤＳ部２０９からのＢｒｏｗｓｅレスポンスによりＢＳデジタル放送の１９１チャネルがＮｏｔ  Ｒｅｃｏｒｄａｂｌｅである旨の情報を取得した再生装置３は、例えば「このチャネルは視聴、録画することはできません」等のエラーメッセージを表示し、ユーザに視聴や録画が不可である旨を伝えることもできる。
【００９９】
以上説明したように本実施例では、受信可能なチューナを持っている場合であっても、アンテナケーブルが刺さっておらず放送信号の入力が無い等の事情により正常に視聴、録画することのできない場合に、ＣＤＳ部２０９その旨を示す付加情報を加えてコンテンツリスト４００を公開する。チューナで受信可能なチャネルを全てＣＤＳ部２０９で公開すると、当該受信可能なチャネル情報を参考にして録画指示を行うと、放送信号が入力されておらずに正常に番組が記録されていないということにもなりかねなかったが、本実施例では、そのようなチャネルは正常に視聴や録画することができない旨を示してＣＤＳ部２０９が公開しないようにしているため、ユーザが誤って視聴指示や録画指示を出すのを避けることができる。
【０１００】
また、付加情報を示しながらも受信可能なチャネルを全て公開しているので、その原因さえ取り除けば当該チャネルを視聴、録画可能であることをユーザは知ることができる。
【図面の簡単な説明】
【０１０１】
【図１】本発明の実施例１に係る通信装置が使用される通信システムの構成を示す図。
【図２】本発明の実施例１に係る通信装置が他の通信装置と通信する処理の流れを示す図。
【図３】本発明の実施例１に係る通信装置の構成を示す図。
【図４】本発明の実施例１に係る通信装置が提供するコンテンツリストの構造例を示す図。
【図５】本発明の実施例１に係る通信装置が送信するコンテンツリストの例を示す図。
【図６】本発明の実施例１に係る通信装置が送信するコンテンツリストの例を示す図。
【図７】本発明の実施例１に係る通信装置が送信するコンテンツリストの例を示す図。
【図８】本発明の実施例１に係る通信装置のコンテンツリストの更新処理を示す図。
【図９】本発明の実施例１に係る通信装置の予約録画の処理の流れを示す図。
【図１０】本発明の実施例２に係る通信装置が送信するコンテンツリストの例を示す図。
【図１１】本発明の実施例２に係る通信装置が送信するコンテンツリストの例を示す図。
【図１２】本発明の実施例２に係る通信装置が送信するコンテンツリストの例を示す図。
【符号の説明】
【０１０２】
１・・・通信システム
２・・・録画装置
３・・・再生装置
４・・・ネットワーク
５、６・・・アンテナ
２０１・・・アンテナ入力端子
２０２・・・アナログ地上波チューナ部
２０３・・・アンテナ入力端子
２０４・・・ＢＳデジタルチューナ部
２０５・・・ＩＣカードリーダ部
２０６・・・番組記録部
２０７・・・ＨＤＤ
２０８・・・通信Ｉ／Ｆ部
２０９・・・ＣＤＳ部
２１０・・・コンテンツデータ読込部２１０
２１１・・・ＳＲＳ部
２１２・・・録画予約情報記憶部
２１３・・・メモリ
２１３ａ・・・録画予約情報
２１４・・・現在時刻情報取得部
２１５・・・アンテナ入力信号検出部
２１６・・・契約情報検出部
４００・・・コンテンツリスト
４１１、４１２、４１３・・・コンテナ
４２１、４２２、４２３、４２４、４２５、４２６、４２７・・・アイテム
４２１ａ、４２２ａ、４２３ａ、４２４ａ、４２５ａ、４２６ａ、４２７ａ・・・ｔｏｓａｖ：ｖｅｎｄｅｒＤｅｐｅｎｄｅｎｔＩｎｆｏ要素
Ｃ・・・ＩＣカード
【図１】
2008053975.tif 000003
【図２】
2008053975.tif 000004
【図３】
2008053975.tif 000005
【図４】
2008053975.tif 000006
【図５】
2008053975.tif 000007
【図６】
2008053975.tif 000008
【図７】
2008053975.tif 000009
【図８】
2008053975.tif 000010
【図９】
2008053975.tif 000011
【図１０】
2008053975.tif 000012
【図１１】
2008053975.tif 000013
【図１２】
2008053975.tif 000014